(57)【特許請求の範囲】
【請求項１】
スマート・ウェアラブルデバイスとバインディングされている端末に用いられる睡眠状態の測定方法であって、
ユーザーによって端末に入力されたアプリケーション・プログラムの設定指令を受信するステップと、
前記アプリケーション・プログラムの設定指令に基づいて、プリセットされる前記アプリケーション・プログラムを設定するステップと、
前記スマート・ウェアラブルデバイスによってユーザーのカレントステータスの情報がプリセットされた睡眠条件を満たしていると検出されたときに、前記スマート・ウェアラブルデバイスから送信された状態照会の要請を受信するステップと、
前記状態照会の要請に基づいて、前記端末における前記プリセットされたアプリケーション・プログラムの操作イベントを照会するステップと、
前記スマート・ウェアラブルデバイスが前記端末における前記操作イベントの状態情報に基づいて、ユーザーが睡眠状態に入っているかどうかを確定するように、前記操作イベントの照会の結果に基づく前記状態情報を前記スマート・ウェアラブルデバイスにフィードバックするステップと、
を備えることを特徴とする睡眠状態の測定方法。
【請求項２】
前記プリセットされたアプリケーション・プログラムの前記カレントステータスは覚醒状態と非覚醒状態を含み、
前記端末における前記プリセットされたアプリケーション・プログラムの操作イベントを照会するステップは、
前記プリセットされたアプリケーション・プログラムがプリセットされた期間内にタッチ操作を受信しているかどうかを判断するステップと、
前記プリセットされたアプリケーション・プログラムが前記プリセットされた期間内にタッチ操作を受信していないと判断した場合、前記プリセットされたアプリケーション・プログラムの前記カレントステータスが非覚醒状態であると確定するステップと、
前記プリセットされたアプリケーション・プログラムが前記プリセットされた期間内にタッチ操作を受信していると判断した場合、前記プリセットされたアプリケーション・プログラムの前記カレントステータスが覚醒状態であると確定するステップと、を備えることを特徴とする請求項１に記載の睡眠状態の測定方法。
【請求項３】
前記プリセットされたアプリケーション・プログラムの前記カレントステータスは覚醒状態と非覚醒状態を含み、
前記端末における前記プリセットされたアプリケーション・プログラムの操作イベントを照会するステップは、
前記プリセットされたアプリケーション・プログラムを閉じる知らせ情報を出力するステップと、
前記プリセットされた期間内に前記知らせ情報に対応するフィードバック指令を受信した場合、前記プリセットされたアプリケーション・プログラムの前記カレントステータスが覚醒状態であると確定するステップと
前記プリセットされた期間内に前記知らせ情報に対応するフィードバック指令を受信しなかった場合、前記プリセットされたアプリケーション・プログラムの前記カレントステータスが非覚醒状態であると確定するステップと、を備えることを特徴とする請求項１に記載の睡眠状態の測定方法。
【請求項４】
前記スマート・ウェアラブルデバイスが送信したユーザーがすでに睡眠状態に入っている旨の通知を受信した場合、前記通知に基づいて前記プリセットされたアプリケーション・プログラムを閉じるステップを、さらに備えることを特徴とする請求項１に記載の睡眠状態の測定方法。
【請求項５】
スマート・ウェアラブルデバイスとバインディングされている端末であって、
ユーザーによって端末に入力されたアプリケーション・プログラムの設定指令を受信する指令受信モジュールと、
前記アプリケーション・プログラムの設定指令に基づいて、プリセットされる前記アプリケーション・プログラムを設定する設定モジュールと、
前記スマート・ウェアラブルデバイスによってユーザーのカレントステータスの情報がプリセットされた睡眠条件を満たしていると検出されたときに、当該スマート・ウェアラブルデバイスから送信された状態照会の要請を受信する受信モジュールと、
前記状態照会の要請に基づいて、前記端末における前記プリセットされたアプリケーション・プログラムの操作イベントを照会する照会モジュールと、
前記照会モジュールの前記操作イベントの照会の結果に基づく前記端末における前記操作イベントの状態情報を前記スマート・ウェアラブルデバイスにフィードバックし、前記スマート・ウェアラブルデバイスに前記状態情報に基づいて、ユーザーが睡眠状態に入っているかどうかを確定させるフィードバックモジュールと、を備えることを特徴とする端末。
【請求項６】
前記プリセットされたアプリケーション・プログラムの前記カレントステータスは覚醒状態と非覚醒状態を含み、
前記照会モジュールは、
前記プリセットされたアプリケーション・プログラムがプリセットされた期間内にタッチ操作を受信しているかどうかを判断する判断サブモジュールと、
前記判断サブモジュールによって前記プリセットされたアプリケーション・プログラムが前記プリセットされた期間内にタッチ操作を受信していないと判断された場合、前記プリセットされたアプリケーション・プログラムの前記カレントステータスが非覚醒状態であると確定する第１確定サブモジュールと、
前記判断サブモジュールによって前記プリセットされたアプリケーション・プログラムが前記プリセットされた期間内にタッチ操作を受信したと判断した場合、前記プリセットされたアプリケーション・プログラムの前記カレントステータスが覚醒状態であると確定する第２確定サブモジュールと、を備えることを特徴とする請求項５に記載の端末。
【請求項７】
前記プリセットされたアプリケーション・プログラムの前記カレントステータスは覚醒状態と非覚醒状態を含み、
前記照会モジュールは、
前記プリセットされたアプリケーション・プログラムを閉じる知らせ情報を出力する知らせサブモジュールと、
前記プリセットされた期間内に前記知らせ情報に対応するフィードバック指令を受信した場合、前記プリセットしたアプリケーション・プログラムの前記カレントステータスが覚醒状態であると確定する第３確定サブモジュールと、
前記プリセットされた期間内に前記知らせ情報に対応するフィードバック指令を受信しなかった場合、前記プリセットされたアプリケーション・プログラムの前記カレントステータスが非覚醒状態であると確定する第４確定サブモジュールと、を備えることを特徴とする請求項５に記載の端末。
【請求項８】
前記スマート・ウェアラブルデバイスが送信したユーザーがすでに睡眠状態に入っている旨の通知を受信し、前記通知に基づいて前記プリセットされたアプリケーション・プログラムを閉じる処理モジュールを、さらに含むことを特徴とする請求項５に記載の端末。
【請求項９】
スマート・ウェアラブルデバイスと、前記スマート・ウェアラブルデバイスとバインディングされている端末と、を備える睡眠状態測定システムであって、
前記端末は、ユーザーによって前記端末に入力されたアプリケーション・プログラムの設定指令を受信し、前記アプリケーション・プログラムの設定指令に基づいて、プリセットされる前記アプリケーション・プログラムを設定し、
前記スマート・ウェアラブルデバイスは、ユーザーのカレントステータスの情報がプリセットされた睡眠条件を満たしていると検出された場合、前記端末に状態照会の要請を送信し、前記端末に状態照会の要請に基づいて前記端末におけるプリセットされた前記アプリケーション・プログラムの操作イベントを照会させ、前記端末がフィードバックした前記操作イベントの照会の結果に基づく前記端末における前記操作イベントの状態情報を受信し、前記状態情報に基づいて、前記ユーザーが睡眠状態に入っているかどうかを確定し、
前記端末は、前記スマート・ウェアラブルデバイスによってユーザーの前記カレントステータスの情報がプリセットされた睡眠条件を満たしていると検出されたときに、当該スマート・ウェアラブルデバイスから送信された状態照会の要請を受信し、前記状態照会の要請に基づいて、前記端末におけるセンサーのデータ及び/またはプリセットされた前記アプリケーション・プログラムの操作イベントを照会し、前記操作イベントの照会の結果に基づく前記端末における前記操作イベントの状態情報を前記スマート・ウェアラブルデバイスにフィードバックし、前記スマート・ウェアラブルデバイスに前記端末における操作イベントの状態情報に基づいて、ユーザーが睡眠状態に入っていかどうかを確定させる、
ことを特徴とする睡眠状態測定システム。
【請求項１０】
スマート・ウェアラブルデバイスとバインディングされている端末を含む睡眠状態フィードバック装置であって、前記端末は、
プロセッサーと、
前記プロセッサーの実行可能な指令を記憶するためのメモリと、を備え、
前記プロセッサーは
ユーザーによって端末に入力されたアプリケーション・プログラムの設定指令を受信し、
前記アプリケーション・プログラムの設定指令に基づいて、プリセットされる前記アプリケーション・プログラムを設定し、
前記スマート・ウェアラブルデバイスによってユーザーのカレントステータスの情報がプリセットされた睡眠条件を満たしていると検出されたときに、当該スマート・ウェアラブルデバイスから送信された状態照会の要請を受信し、
前記状態照会の要請に基づいて、前記端末におけるプリセットされた前記アプリケーション・プログラムの操作イベントを照会し、
前記スマート・ウェアラブルデバイスが状態情報に基づいて、ユーザーが睡眠状態に入っているかどうかを確定するように、前記操作イベントの照会の結果に基づく前記端末における前記操作イベントの状態情報を前記スマート・ウェアラブルデバイスにフィードバックするように構成されることを特徴とする睡眠状態フィードバック装置。
【発明の詳細な説明】
【技術分野】
【０００１】
本発明はデータ処理技術分野に関し、特に睡眠状態の測定方法、睡眠状態の測定装置および睡眠状態の測定システムに関する。
【背景技術】
【０００２】
ウェアラブルデバイスとは、すなわち、直接身に付けるか、あるいはユーザーの衣服やアクセサリーに嵌め込むポータブル装備の一種である。ウェアラブルデバイスはハードウェア装置だけでなく、さらにソフトウェアのサポートやデータ・インタラクティブ、クラウド・インタラクティブを通じて強大な機能を実現させる。ウェアラブルデバイスは私達の生活、感知に大きな転換をもたらしていく。現在、ウェアラブルデバイスはユーザーの着用時に、ユーザーの運動状態を採集することを通じてユーザーの睡眠時間を判断することができるようになっている。
【発明の概要】
【発明が解決しようとする課題】
【０００３】
本発明は睡眠状態の測定方法、装置およびシステムを提供し、次の解決手段を含む。
【課題を解決するための手段】
【０００４】
本発明の実施例の第１の態様によれば、スマート・ウェアラブルデバイスに用いる睡眠状態の測定方法を提供する。前記睡眠状態の測定方法は、
ユーザーのカレントステータスの情報がプリセットした睡眠条件を満たしていると検出された場合、前記端末が前記状態照会の要請に基づいて端末におけるセンサーのデータ及び/またはプリセットしたアプリケーション・プログラムの操作イベントを照会するように、前記端末に状態照会の要請を送信するステップと、
前記端末が照会結果に基づいてフィードバックした状態情報を受信するステップと、
前記状態情報に基づいて、前記ユーザーが睡眠状態に入っているかどうかを確定するステップと、を備え、
前記端末が前記スマート・ウェアラブルデバイスとバインディングされている。
【０００５】
１つの実施例において、前記プリセットしたアプリケーション・プログラムのカレントステータスは覚醒状態と非覚醒状態を含み、前記状態情報に基づいて、前記ユーザーが睡眠状態に入っているかどうかを確定するステップは、
前記プリセットしたアプリケーション・プログラムのカレントステータスが覚醒状態である場合、前記ユーザーが睡眠状態に入っていないと確定するステップと、
前記プリセットしたアプリケーション・プログラムのカレントステータスが非覚醒状態である場合、前記ユーザーがすでに睡眠状態に入っていると確定するステップと、を備える。
【０００６】
１つの実施例において、前記方法は、
ユーザーのカレントステータスの情報がプリセットした睡眠条件を満たしていると検出された場合、睡眠状態のフィルタリング機能が起動されているかどうかを判断するステップと、
前記睡眠状態のフィルタリング機能が起動されていると判断した場合、端末に前記状態照会の要請を送信するステップを実行するステップと、をさらに備える。
【０００７】
１つの実施例において、前記方法は、
前記ユーザーが睡眠状態に入っていると確定した場合、前記端末にユーザーがすでに睡眠状態に入っている旨の通知を送信し、前記端末が前記通知に基づいて前記プリセットしたアプリケーション・プログラムを閉じるようにするステップをさらに備える。
【０００８】
本発明の実施例の第２の態様によれば、端末に用いる睡眠状態の測定方法を提供する。前記睡眠状態の測定方法は、
スマート・ウェアラブルデバイスによってユーザーのカレントステータスの情報がプリセットした睡眠条件を満たしていると検出されたときに、当該スマート・ウェアラブルデバイスから送信された状態照会の要請を受信するステップと、
前記状態照会の要請に基づいて、端末におけるセンサーのデータ及び/またはプリセットしたアプリケーション・プログラムの操作イベントを照会するステップと、
前記スマート・ウェアラブルデバイスが状態情報に基づいて、ユーザーが睡眠状態に入っているかどうかを確定するように、照会結果に基づいて前記状態情報をスマート・ウェアラブルデバイスにフィードバックするステップと、を備える。
【０００９】
１つの実施例において、前記プリセットしたアプリケーション・プログラムのカレントステータスは覚醒状態と非覚醒状態を含み、前記端末におけるセンサーのデータ及び/またはプリセットしたアプリケーション・プログラムの操作イベントを照会するステップは、
前記プリセットしたアプリケーション・プログラムがプリセットした期間内にタッチ操作を受信したかどうかを判断するステップと、
前記プリセットしたアプリケーション・プログラムがプリセットした期間内にタッチ操作を受信していないと判断した場合、前記プリセットしたアプリケーション・プログラムのカレントステータスが非覚醒状態であると確定するステップと、
前記プリセットしたアプリケーション・プログラムがプリセットした期間内にタッチ操作を受信していると判断した場合、前記プリセットしたアプリケーション・プログラムのカレントステータスが覚醒状態であると確定するステップと、を備える。
【００１０】
１つの実施例において、前記プリセットされたアプリケーション・プログラムのカレントステータスは覚醒状態と非覚醒状態を含み、前記端末におけるセンサーのデータ及び/またはプリセットされたアプリケーション・プログラムの操作イベントを照会するステップは、
前記プリセットされたアプリケーション・プログラムを閉じる知らせ情報を出力するステップと、
プリセットした期間内に前記知らせ情報に対応するフィードバック指令を受信した場合、前記プリセットされたアプリケーション・プログラムのカレントステータスが覚醒状態であると確定するステップと、
プリセットした期間内に前記知らせ情報に対応するフィードバック指令を受信しなかった場合、前記プリセットされたアプリケーション・プログラムのカレントステータスが非覚醒状態であると確定するステップと、を備える。
【００１１】
１つの実施例において、前記端末におけるセンサーのデータ及び/またはプリセットしたアプリケーション・プログラムの操作イベントを照会する前に、
前記状態照会の要請を受信した場合、睡眠状態のフィルタリング機能が起動されているかどうかを判断するステップと、
前記睡眠状態のフィルタリング機能が起動されていると判断した場合、前記端末におけるセンサーのデータ及び/またはプリセットしたアプリケーション・プログラムの操作イベントを照会するステップを実行するステップと、をさらに備える。
【００１２】
１つの実施例において、前記方法は、
前記スマート・ウェアラブルデバイスが送信したユーザーがすでに睡眠状態に入っている旨の通知を受信し、前記通知に基づいて前記プリセットしたアプリケーション・プログラムを閉じるステップ、をさらに備える。
【００１３】
１つの実施例において、前記方法は、
入力されたアプリケーション・プログラムの設定指令を受信するステップと、
前記アプリケーション・プログラムの設定指令に基づいて、前記プリセットしたアプリケーション・プログラムを設定するステップと、をさらに備える。
【００１４】
本発明の実施例第３の態様によれば、スマート・ウェアラブルデバイスに用いる睡眠状態の測定装置を提供する。前記睡眠状態の測定装置は、
ユーザーのカレントステータスの情報がプリセットした睡眠条件を満たしていると検出された場合、前記端末が状態照会の要請に基づいて前記端末におけるセンサーのデータ及び/またはプリセットしたアプリケーション・プログラムの操作イベントを照会するように、端末に前記状態照会の要請を送信する第１送信モジュールと、
前記端末が照会結果に基づいてフィードバックした状態情報を受信する受信モジュールと、
前記受信モジュールが受信した前記状態情報に基づいて、前記ユーザーが睡眠状態に入っているかどうかを確定する確定モジュールと、を備え、
前記端末が前記スマート・ウェアラブルデバイスとバインディングされている。
【００１５】
１つの実施例において、前記プリセットしたアプリケーション・プログラムのカレントステータスは覚醒状態と非覚醒状態を含み、前記確定モジュールは、
前記プリセットしたアプリケーション・プログラムのカレントステータスが覚醒状態である場合、前記ユーザーが睡眠状態に入っていないと確定する第１確定サブモジュールと、
前記プリセットしたアプリケーション・プログラムのカレントステータスが非覚醒状態である場合、前記ユーザーがすでに睡眠状態に入っていると確定する第２確定サブモジュールと、を備える。
【００１６】
１つの実施例において、前記装置は、
ユーザーのカレントステータスの情報がプリセットした睡眠条件を満たしていると検出された場合、睡眠状態のフィルタリング機能が起動されているかどうかを判断する判断モジュールと、
前記睡眠状態のフィルタリング機能が起動されていると判断した場合、端末に前記状態照会の要請を送信するように、前記第１送信モジュールをトリガーするトリガーモジュールと、をさらに備える。
【００１７】
１つの実施例において、前記装置は、
前記ユーザーが睡眠状態に入っていると確定した場合、前記端末が前記通知に基づいて前記プリセットしたアプリケーション・プログラムを閉じるように、前記端末にユーザーがすでに睡眠状態に入っている旨の通知を送信する第２送信モジュールと、をさらに備える。
【００１８】
本発明の実施例の第４の態様によれば、端末に用いる睡眠状態の測定装置を提供する。前記睡眠状態の測定装置は、
スマート・ウェアラブルデバイスによってユーザーのカレントステータスの情報がプリセットした睡眠条件を満たしていると検出されたときに、当該スマート・ウェアラブルデバイスから送信された状態照会の要請を受信する受信モジュールと、
前記状態照会の要請に基づいて、前記末上のセンサーのデータ及び/またはプリセットしたアプリケーション・プログラムの操作イベントを照会する照会モジュールと
前記スマート・ウェアラブルデバイスが前記状態情報に基づいて、ユーザーが睡眠状態に入っているかどうかを確定するように、前記照会モジュールの照会結果に基づいて前記状態情報をスマート・ウェアラブルデバイスにフィードバックするフィードバックモジュールと、を備え、
前記端末が前記スマート・ウェアラブルデバイスとバインディングされている。
【００１９】
１つの実施例において、前記プリセットしたアプリケーション・プログラムのカレントステータスは覚醒状態と非覚醒状態を含み、前記照会モジュールは、
前記プリセットしたアプリケーション・プログラムがプリセットした期間内にタッチ操作を受信したかどうかを判断する判断サブモジュールと
前記判断サブモジュールが前記プリセットしたアプリケーション・プログラムがプリセットした期間内にタッチ操作を受信していないと判断した場合、前記プリセットしたアプリケーション・プログラムのカレントステータスが非覚醒状態であると確定する第１確定サブモジュールと、
前記判断サブモジュールが前記プリセットしたアプリケーション・プログラムがプリセットした期間内にタッチ操作を受信したと判断した場合、前記プリセットしたアプリケーション・プログラムのカレントステータスが覚醒状態であると確定する第２確定サブモジュールと、を備える。
【００２０】
１つの実施例において、前記プリセットされたアプリケーション・プログラムのカレントステータスは覚醒状態と非覚醒状態を含み、前記照会モジュールは、
前記プリセットしたアプリケーションの知らせ情報を出力する知らせサブモジュールと、
プリセットした期間内に前記知らせ情報に対応するフィードバック指令を受信した場合、前記プリセットされたアプリケーション・プログラムのカレントステータスが覚醒状態であると確定する第３確定サブモジュールと、
プリセットした期間内に前記知らせ情報に対応するフィードバック指令を受信しなかった場合、前記プリセットされたアプリケーション・プログラムのカレントステータスが非覚醒状態であると確定する第４確定サブモジュールと、を備える。
【００２１】
１つの実施例において、前記装置は、
前記状態照会の要請を受信した場合、睡眠状態のフィルタリング機能が起動されているかどうかを判断する判断モジュールと、
前記睡眠状態のフィルタリング機能が起動されていると判断した場合、前記照会モジュールをトリガーして前記端末におけるセンサーのデータ及び/またはプリセットしたアプリケーション・プログラムの操作イベントを照会させるトリガーモジュールと、をさらに備える。
【００２２】
１つの実施例において、前記装置は、
前記スマート・ウェアラブルデバイスが送信したユーザーがすでに睡眠状態に入っている旨の通知を受信し、前記通知に基づいて前記プリセットしたアプリケーション・プログラムを閉じる処理モジューと、をさらに備える。
【００２３】
１つの実施例において、前記装置は、
入力されたアプリケーション・プログラムの設定指令を受信する指令受信モジュールと、
前記アプリケーション・プログラムの設定指令に基づいて、前記プリセットしたアプリケーション・プログラムを設定する設定モジュールと、をさらに備える。
【００２４】
本発明の実施例第５の態様によれば、睡眠測定システムを提供する。前記睡眠測定システムは、端末とスマート・ウェアラブルデバイスと、を備え、
前記スマート・ウェアラブルデバイスは、ユーザーのカレントステータスの情報がプリセットした睡眠条件を満たしていると検出された場合、前記端末が状態照会の要請に基づいて前記端末におけるセンサーのデータ及び/またはプリセットしたアプリケーション・プログラムの操作イベントを照会するように、端末に前記状態照会の要請を送信し、前記端末が前記スマート・ウェアラブルデバイスとバインディングしており、前記端末が照会結果に基づいてフィードバックした状態情報を受信し、前記状態情報に基づいて、前記ユーザーが睡眠状態に入っているかどうかを確定し、
前記端末は、スマート・ウェアラブルデバイスによってユーザーのカレントステータスの情報がプリセットした睡眠条件を満たしていると検出されたときに、当該スマート・ウェアラブルデバイスから送信された状態照会の要請を受信するのに用い、前記状態照会の要請に基づいて、前記端末におけるセンサーのデータ及び/またはプリセットしたアプリケーション・プログラムの操作イベントを照会し、前記スマート・ウェアラブルデバイスが状態情報に基づいて、ユーザーが睡眠状態に入っているかどうかを確定するように、照会結果に基づいて前記状態情報をスマート・ウェアラブルデバイスにフィードバックする。
【００２５】
本発明の実施例の第６の態様によれば、睡眠状態の測定装置を提供する。前記睡眠状態の測定装置は、
プロセッサーと、
プロセッサーが実行可能指令を記憶するメモリと、を備え、
前記プロセッサーは、
ユーザーのカレントステータスの情報がプリセットした睡眠条件を満たしていると検出された場合、前記端末が状態照会の要請に基づいて端末におけるセンサーのデータ及び/またはプリセットしたアプリケーション・プログラムの操作イベントを照会するように、端末に状態照会の要請を送信し、
前記端末が照会結果に基づいてフィードバックした状態情報を受信し、
前記状態情報に基づいて、前記ユーザーが睡眠状態に入っているかどうかを確定するように構成され、
前記端末が前記スマート・ウェアラブルデバイスとバインディングされている。
【００２６】
本発明の実施例の第７の態様によれば、睡眠状態の測定装置を提供し、それは、
プロセッサーと、
プロセッサーが実行可能指令を記憶するメモリと、を備え、
前記プロセッサーは、
スマート・ウェアラブルデバイスによってユーザーのカレントステータスの情報がプリセットした睡眠条件を満たしていると検出されたときに、当該スマート・ウェアラブルデバイスから送信された状態照会の要請を受信し、
前記状態照会の要請に基づいて、前記端末におけるセンサーのデータ及び/またはプリセットしたアプリケーション・プログラムの操作イベントを照会し、
照会結果に基づいて状態情報をスマート・ウェアラブルデバイスにフィードバックし、前記スマート・ウェアラブルデバイスが状態情報に基づいて、ユーザーが睡眠状態に入っているかどうかを確定するように構成される。
【発明の効果】
【００２７】
本発明の実施例が提供した解決手段は、以下の格別な作用効果を含むことができる。
【００２８】
前記解決手段によれば、スマート・ウェアラブルデバイスによってユーザーのカレントステータスの情報がプリセットした睡眠条件を満たしていると検出された場合、端末におけるセンサーのデータ及び/またはプリセットしたアプリケーション・プログラムの操作イベントを照会するように、端末に状態照会の要請を送信し、端末がフィードバックした状態情報に基づいてユーザーが睡眠状態に入っているかどうかを確定する。このようにして、スマート・ウェアラブルデバイスは端末の協力を通じてユーザーが睡眠状態に入っているかどうかを確定し、スマート・ウェアラブルデバイスがユーザーの睡眠時間ひいては睡眠の質さえ誤って計算してしまう問題の発生を防止し、ユーザーの睡眠時間計算の正確性が保たれ、ユーザーの使用体験を高めることができる。 
上記の一般的記述と後述の細部記述は単に例示性と説明性のものに過ぎず、本発明を制限するものではないことを理解すべきである。
【図面の簡単な説明】
【００２９】
ここでの図面は、明細書に取り込まれ、かつ本明細書の一部を設定するものであり、本開示に適した実施例を示し、かつ、明細書とともに本開示の仕組みを解釈する。
【図１】図１は１つの例示性実施例に係る睡眠状態測定方法のフローチャートである。
【図２】図２は１つの例示性実施例に係る他の睡眠状態測定方法のフローチャートである。
【図３】図３は１つの例示性実施例に係る更なる睡眠状態測定方法のフローチャートである。
【図４】図４は１つの例示性実施例に係る別の睡眠状態測定方法のフローチャートである。
【図５】図５は１つの例示性実施例に係る睡眠状態測定方法のフローチャートである。
【図６】図６は１つの例示性実施例に係る睡眠状態測定方法におけるステップＳ５０２のフローチャートである。
【図７】図７は１つの例示性実施例に係る他の睡眠状態測定方法におけるステップＳ５０２のフローチャートである。
【図８】図８は１つの例示性実施例に係る他の睡眠状態測定方法のフローチャートである。
【図９】図９は１つの例示性実施例に係る更なる睡眠状態測定方法のフローチャートである。
【図１０】図１０は１つの例示性実施例に係る別の睡眠状態測定方法のフローチャートである。
【図１１】図１１は１つの例示性実施例に係る睡眠状態測定装置のブロック図である。
【図１２】図１２は１つの例示性実施例に係る睡眠状態測定装置における確定モジュールのブロック図である。
【図１３】図１３は１つの例示性実施例に係る他の睡眠状態測定装置のブロック図である。
【図１４】図１４は１つの例示性実施例に係る更なる睡眠状態測定装置のブロック図である。
【図１５】図１５は１つの例示性実施例に係る睡眠状態測定装置のブロック図である。
【図１６】図１６は１つの例示性実施例に係る睡眠状態測定装置における照会モジュールのブロック図である。
【図１７】図１７は１つの例示性実施例に係る他の睡眠状態測定装置における照会モジュールのブロック図である。
【図１８】図１８は１つの例示性実施例に係る別の睡眠状態測定装置のブロック図である。
【図１９】図１９は１つの例示性実施例に係る他の睡眠状態測定装置のブロック図である。
【図２０】図２０は１つの例示性実施例に係る更なる睡眠状態測定装置のブロック図である。
【図２１】図２１は１つの例示性実施例に係る睡眠状態測定装置に適したブロック図である。
【図２２】図２２は１つの例示性実施例に係る他の睡眠状態測定装置に適したブロック図である。
【発明を実施するための形態】
【００３０】
ここで例示性実施例を詳しく説明するが、例示を図に示している。以下の記述が図に係る場合、別途に示さない限り、異なる図面における同じ数字は、同じまたは類似する要素を表す。以下の例示性実施例に記述した実施形態は、本発明と一致する全ての実施形態を代表するものではない。逆に、それらは、添付の特許要請書に詳細に記載しているように、単に本発明の一部の態様と一致する装置および方法の例に過ぎない。
【００３１】
本発明の実施例はスマート・ウェアラブルデバイスに応用可能な睡眠状態の測定方法を提供し、図１に示したように、当該方法はステップＳ１０１と、ステップＳ１０２と、ステップＳ１０３とを備える。
【００３２】
ステップＳ１０１において、ユーザーのカレントステータスの情報がプリセットした睡眠条件を満たしていると検出された場合、端末に状態照会の要請を送信し、端末に状態照会の要請に基づいて端末におけるセンサーのデータ及び/またはプリセットしたアプリケーション・プログラムの操作イベントを照会させる。ここで、端末はスマート・ウェアラブルデバイスとバインディングされている。
【００３３】
ステップＳ１０２において、端末が照会結果に基づいてフィードバックした状態情報を受信する。
【００３４】
ステップＳ１０３において、状態情報に基づいて、ユーザーが睡眠状態に入っているかどうかを確定する。
【００３５】
当該実施例において、スマート・ウェアラブルデバイスによってユーザーのカレントステータスの情報がプリセットした睡眠条件を満たしていると検出された場合、すなわち、スマート・ウェアラブルデバイスによってユーザーがすでに睡眠状態に入っている可能性があると検出された場合、端末に状態照会の要請を送信し、端末におけるセンサーのデータ及び/またはプリセットしたアプリケーション・プログラムの操作イベントを照会させる。よれにより、端末がフィードバックした状態情報に基づいてユーザーが睡眠状態に入っているかどうかを確定し、このようにして、スマート・ウェアラブルデバイスは端末の協力を通じてユーザーが睡眠状態に入っているかどうかを確定し、スマート・ウェアラブルデバイスによってユーザーの睡眠時間ひいては睡眠の質さえ誤って計算されてしまう問題の発生を防止し、ユーザーの睡眠時間計算の正確性が保たれ、ユーザーの使用体験を高めることができる。
【００３６】
ここで、端末は獲得したセンサーのデータ及び/またはプリセットしたアプリケーション・プログラムの操作イベントの情報を直接スマート・ウェアラブルデバイスにフィードバックすることが可能で、当然なことながら、端末はセンサーのデータ及び/またはプリセットしたアプリケーション・プログラムの操作イベントに基づいて端末の状態情報、例えば覚醒状態と非覚醒状態を判断することも可能であるため、状態情報を直接スマート・ウェアラブルデバイスにフィードバックすることが可能になる。
【００３７】
ここで、端末におけるセンサーのデータに基づいてユーザーが睡眠状態に入っているかどうかを判断するのは、プリセットした期間内に端末が静止状態にあるかどうかを判断することを含み、端末が静止状態にある場合、ユーザーがすでに寝ついているとみなし、ユーザーが睡眠状態に入っていると確定することができ、さもなければ、もし端末がプリセットした期間内に非静止状態にあれば、ユーザーがまだ携帯電話を使っていると解釈し、ユーザーが睡眠状態に入っていないと確定することができる。
【００３８】
図２に示したように、１つの実施例において、プリセットしたアプリケーション・プログラムのカレントステータスは覚醒状態と非覚醒状態を含み、前記ステップＳ１０３はステップＳ２０１と、ステップＳ２０２とを備える。
【００３９】
ステップＳ２０１において、プリセットしたアプリケーション・プログラムのカレントステータスが覚醒状態である場合、ユーザーが睡眠状態に入っていないと確定する。
【００４０】
ステップＳ２０２において、プリセットしたアプリケーション・プログラムのカレントステータスが非覚醒状態である場合、ユーザーがすでに睡眠状態に入っていると確定する。
【００４１】
当該実施例において、ユーザーがプリセットしたアプリケーション・プログラムを操作したことがあると検出された場合、端末が覚醒状態にあるとみなし、さもなければ、プリセットしたアプリケーション・プログラムが非覚醒状態にあるとみなす。このようにして、ユーザーがプリセットしたアプリケーション・プログラムを操作したかどうか、すなわち、プリセットしたアプリケーション・プログラムが覚醒状態にあるかどうかを通じてユーザーが睡眠状態にあるかどうかを判断することによって、判断の正確性が保たれ、ユーザーの使用体験を高めることができる。
【００４２】
図３に示したように、１つの実施例において、前記方法はさらにステップＳ３０１と、ステップＳ３０２とを備える。
【００４３】
ステップＳ３０１において、ユーザーのカレントステータスの情報がプリセットした睡眠条件を満たしていると検出された場合、睡眠状態のフィルタリング機能が起動されているかどうかを判断する。
【００４４】
ステップＳ３０２において、睡眠状態のフィルタリング機能が起動されていると判断した場合、前記ステップＳ１０１を実行する。
【００４５】
当該実施例において、ユーザーは個人のニーズに応じて睡眠状態のフィルタリング機能が起動されているかどうかを選ぶことができ、もし当該機能を起動させるならば、スマート・ウェアラブルデバイスによってユーザーのカレントステータスの情報がプリセットした睡眠条件を満たしていると検出された場合、状態照会の要請を端末に送信し、端末がフィードバックした状態情報に基づいてユーザーの睡眠状態の判断を行い、これにより、判断結果の正確性が保たれる。もし当該機能が起動していなければ、直接ユーザーが睡眠状態に入っていると確定する。このようにして、異なるユーザーの異なるニーズを満たすことができ、ユーザーの使用体験がさらに高められる。
【００４６】
図４に示したように、１つの実施例において、前記方法はさらにステップＳ４０１を含み、
ステップＳ４０１において、ユーザーが睡眠状態に入っていると確定した場合、ユーザーがすでに睡眠状態に入っている旨の通知を端末に送信し、端末が通知に基づいてプリセットしたアプリケーション・プログラムを閉じるようにする。
【００４７】
当該実施例において、ユーザーが睡眠状態に入っていると確定した後、スマート・ウェアラブルデバイスはユーザーがすでに睡眠状態に入っている旨の通知を送信し、端末が当該通知に基づいてプリセットしたアプリケーション・プログラムを閉じることが可能でるため、端末の電気消費量を節約することができる。
【００４８】
本発明の実施例は更なる睡眠状態の測定方法を提供し、当該方法は端末装置に使用でき、図５に示したように、当該方法はステップＳ５０１と、ステップＳ５０２と、ステップＳ５０３とを備えている。
【００４９】
ステップＳ５０１において、スマート・ウェアラブルデバイスによってユーザーのカレントステータスの情報がプリセットした睡眠条件を満たしていると検出されたときに送信した状態照会の要請を受信する。
【００５０】
ステップＳ５０２において、状態照会の要請に基づいて、端末におけるセンサーのデータ及び/またはプリセットしたアプリケーション・プログラムの操作イベントを照会する。
【００５１】
ステップＳ５０３において、照会結果に基づいて状態情報をスマート・ウェアラブルデバイスにフィードバックし、スマート・ウェアラブルデバイスに状態情報に基づいてユーザーが睡眠状態に入っているかどうかを確定させる。
【００５２】
当該実施例において、スマート・ウェアラブルデバイスによってユーザーのカレントステータスの情報がプリセットした睡眠条件を満たしていると検出された場合、すなわち、スマート・ウェアラブルデバイスによってユーザーがすでに睡眠状態に入っている可能性があると検出された場合、端末に状態照会の要請を送信し、端末におけるセンサーのデータ及び/またはプリセットしたアプリケーション・プログラムの操作イベントを照会させ、これにより端末はフィードバックした状態情報に基づいてユーザーが睡眠状態に入っているかどうかを確定し、このようにして、スマート・ウェアラブルデバイスは端末の協力を通じてユーザーが睡眠状態に入っているかどうかを確定し、スマート・ウェアラブルデバイスによってユーザーの睡眠時間ひいては睡眠の質さえ誤って計算されてしまう問題の発生を防止、ユーザーの睡眠時間計算の正確性が保たれ、ユーザーの使用体験を高めることができる。
【００５３】
ここで、端末は獲得したセンサーのデータ及び/またはプリセットしたアプリケーション・プログラムの操作イベントの情報をスマート・ウェアラブルデバイスに直接フィードバックすることが可能で、当然なことながら、端末はセンサーのデータ及び/またはプリセットしたアプリケーション・プログラムの操作イベントに基づいて端末の状態情報、例えば覚醒と非覚醒状態を判断し、状態情報を直接スマート・ウェアラブルデバイスにフィードバックすることも可能である。
【００５４】
ここで、端末におけるセンサーのデータに基づいてプリセットした期間内にユーザーが睡眠状態に入っているかどうかを判断することは、プリセットした期間内に端末が静止状態にあるかどうかを判断することを含む。端末が静止状態にある場合、ユーザーがすでに寝ついており、これによりユーザーが睡眠状態に入っていると確定し、さもなければ、もし端末がプリセットした期間内に非静止状態にあれば、ユーザーがまだ携帯電話を使っていると解釈でき、これによりユーザーが睡眠状態に入っていないと確定することができる。
【００５５】
図６に示したように、１つの実施例において、プリセットしたアプリケーション・プログラムのカレントステータスは覚醒状態と非覚醒状態を含み、前記ステップＳ５０２はステップＳ６０１と、テップＳ６０１と、テップＳ６０３とを備える。
【００５６】
ステップＳ６０１において、プリセットしたアプリケーション・プログラムがプリセットした期間内にタッチ操作を受信しているかどうかを判断する。
【００５７】
ステップＳ６０２において、プリセットしたアプリケーション・プログラムがプリセットした期間内にタッチ操作を受信していないと判断した場合、プリセットしたアプリケーション・プログラムのカレントステータスが非覚醒状態であると確定する。
【００５８】
ステップＳ６０３において、プリセットしたアプリケーション・プログラムがプリセットした期間内にタッチ操作を受信していると判断した場合、プリセットしたアプリケーション・プログラムのカレントステータスが覚醒状態であると確定する。
【００５９】
当該実施例において、もし端末のプリセットしたアプリケーション・プログラムがプリセットした期間内にタッチ操作を受信していなければ、ユーザーが端末を使っているだろうと意味し、この場合プリセットしたアプリケーション・プログラムが非覚醒状態であると確定でき、さもなければ、プリセットしたアプリケーション・プログラムが覚醒状態にあると確定することができる。
【００６０】
図７に示したように、１つの実施例において、プリセットしたアプリケーション・プログラムのカレントステータスは覚醒状態と非覚醒状態を含み、前記ステップＳ５０２はさらにステップＳ７０１と、ステップＳ７０２と、とをさらに備えることもできる。
【００６１】
ステップＳ７０１において、プリセットしたアプリケーション・プログラムを閉じる知らせ情報を出力する。
【００６２】
ステップＳ７０２において、プリセットした期間内に知らせ情報に対応するフィードバック指令を受信した場合、前記プリセットしたアプリケーション・プログラムのカレントステータスが覚醒状態であると確定する。
【００６３】
ステップＳ７０３において、プリセットした期間内に知らせ情報に対応するフィードバック指令を受信しなかった場合、プリセットされたアプリケーション・プログラムのカレントステータスが非覚醒状態であると確定する。
【００６４】
当該実施例において、プリセットしたアプリケーション閉じる知らせ情報を出力することができる。もしユーザーが睡眠状態に入っていなければ、閉じるかどうかを選択する必要がある。そのためプリセットしたアプリケーション期間内に知らせ情報に対応するフィードバック指令さえ受信すれば、ユーザーが寝ついていない、すなわち、プリセットしたアプリケーション・プログラムが覚醒状態にあると解釈でき、さもなければ、プリセットしたアプリケーション・プログラムが非覚醒状態にあると確定することができる。
【００６５】
図８に示したように、１つの実施例において、端末におけるセンサーのデータ及び/またはプリセットしたアプリケーション・プログラムの操作イベントを照会する前に、ステップＳ８０１と、ステップＳ８０２とをさらに備える。
【００６６】
ステップＳ８０１において、状態照会の要請を受信した場合、睡眠状態のフィルタリング機能が起動されているかどうかを判断する。
【００６７】
ステップＳ８０２において、睡眠状態のフィルタリング機能が起動されていると判断した場合、前記ステップＳ５０２を実行する。
【００６８】
当該実施例において、ユーザーは個人のニーズに応じて睡眠状態のフィルタリング機能が起動されているかどうかを選択することができる。もし当該機能を起動させるならば、スマート・ウェアラブルデバイスによってユーザーのカレントステータスの情報がプリセットした睡眠条件を満たしていると検出された場合、端末に状態照会の要請を送信し、端末に当該要請に基づいて端末におけるセンサーのデータ及び/またはプリセットしたアプリケーション・プログラムの操作イベントを照会させる。スマート・ウェアラブルデバイスは端末がフィードバックした状態情報に基づいてユーザーの睡眠状態の判断を行い、これにより判断結果の正確性が保たれる。もし当該機能が起動していなければ、直接ユーザーが睡眠状態に入っていると確定することができる。このようにして、異なるユーザーの異なるニーズを満たすことができ、ユーザーの使用体験をさらに高めることができる。
【００６９】
図９に示したように、１つの実施例において、前記方法はステップＳ９０１をさらに備える。
【００７０】
ステップＳ９０１において、スマート・ウェアラブルデバイスが送信したユーザーがすでに睡眠状態に入っている旨の通知を受信し、通知に基づいてプリセットしたアプリケーション・プログラムを閉じる。
【００７１】
当該実施例において、ユーザーが睡眠状態に入っていると確定した後、スマート・ウェアラブルデバイスはユーザーがすでに睡眠状態に入っている旨の通知を送信することができ、これにより端末に当該通知に基づいてプリセットしたアプリケーション・プログラムを閉じさせ、端末の電気消費量を節約することができる。
【００７２】
図１０に示したように、１つの実施例において、前記方法はステップＳ１００１と、ステップ２１０２とをさらに備える。
【００７３】
ステップＳ１００１において、入力されたアプリケーション・プログラムの設定指令を受信する。
【００７４】
ステップＳ２１０２において、アプリケーション・プログラムの設定指令に基づいて、プリセットしたアプリケーション・プログラムを設定する。
【００７５】
当該実施例において、ユーザーは個人のニーズに応じてプリセットしたアプリケーション・プログラム、例えばユーザーがよく使用しているアプリケーションをプリセットしたアプリケーション・プログラムとして設定することが可能で、これによりユーザーの睡眠時間計算の正確性が保たれ、ユーザーの使用体験を高めることができる。
【００７６】
次は本出願に係る装置の実施例で、本出願に係る方法の実施に用いることができる実施例である。
【００７７】
図１１は１つの例示性実施例に係る睡眠状態測定装置のブロック図で、当該装置はソフトウェア、ハードウェアあるいは両者の組合せを通じてスマート・ウェアラブルデバイスの一部あるいは全部を実現することができる。図１１に示したように、当該睡眠状態測定装置１１０は、
ユーザーのカレントステータスの情報がプリセットした睡眠条件を満たしていると検出されたときに構成され、端末に状態照会の要請を送信し、端末に状態照会の要請に基づいて端末におけるセンサーのデータ及び/またはプリセットしたアプリケーション・プログラムの操作イベントを照会させる第１送信モジュール１１１と、
端末が照会の結果に基づいてフィードバックした状態情報を受信する受信モジュール１１２と、
受信モジュール１１２が受信した状態情報に基づいて、ユーザーが睡眠状態に入っているかどうかを確定する確定モジュール１１３と、を備える。
【００７８】
ここで、端末がスマート・ウェアラブルデバイスとバインディングされている
当該実施例において、スマート・ウェアラブルデバイスによってユーザーのカレントステータスの情報がプリセットした睡眠条件を満たしていると検出された場合、すなわち、スマート・ウェアラブルデバイスによってユーザーがすでに睡眠状態に入っている可能性があると検出された場合、端末に状態照会の要請を送信し、端末におけるセンサーのデータ及び/またはプリセットしたアプリケーション・プログラムの操作イベントを照会させ、これにより端末がフィードバックした状態情報に基づいてユーザーが睡眠状態に入っているかどうかを確定し、このようにして、スマート・ウェアラブルデバイスは端末の協力を通じてユーザーが睡眠状態に入っているかどうかを確定し、スマート・ウェアラブルデバイスによってユーザーの睡眠時間ひいては睡眠の質さえ誤って計算されてしまう問題の発生を防止し、ユーザーの睡眠時間計算の正確性が保たれ、ユーザーの使用体験を高めることができる。
【００７９】
ここで、端末は獲得したセンサーのデータ及び/またはプリセットしたアプリケーション・プログラムの操作イベントの情報をスマート・ウェアラブルデバイスに直接フィードバックすることができる。当然なことながら、端末はセンサーのデータ及び/またはプリセットしたアプリケーション・プログラムの操作イベントに基づいて端末の状態情報、例えば覚醒状態と非覚醒状態を判断することもでき、これにより状態情報をスマート・ウェアラブルデバイスに直接フィードバックすることができる。
【００８０】
ここで、端末におけるセンサーのデータに基づいてプリセットした期間内に端末が静止状態にあるかどうかの判断を含めユーザーが睡眠状態に入っているかどうか判断し、端末が静止状態にある場合、ユーザーがすでに寝ついているとみなし、これによりユーザーが睡眠状態に入っていると確定することができ、さもなければ、もし端末がプリセットした期間内に非静止状態にあれば、ユーザーがまだ携帯電話を使っていると解釈でき、ユーザーが睡眠状態に入っていないと確定することができる。
【００８１】
図１２に示したように、１つの実施例において、プリセットしたアプリケーション・プログラムのカレントステータスは覚醒状態と非覚醒状態を含み、確定モジュール１１３は、
プリセットしたアプリケーション・プログラムのカレントステータスが覚醒状態である場合、ユーザーが睡眠状態に入っていないと確定するように構成される第１確定サブモジュール１２１と、
プリセットしたアプリケーション・プログラムのカレントステータスが非覚醒状態である場合、ユーザーがすでに睡眠状態に入っていると確定するように構成される第２確定サブモジュール１２２と、を備える。
【００８２】
当該実施例において、ユーザーがプリセットしたアプリケーション・プログラムを操作したことがあると検出された場合、すなわち、端末が覚醒状態、さもなければ、プリセットしたアプリケーション・プログラムが非覚醒状態にあるとみなす。このようにして、ユーザーがプリセットしたアプリケーション・プログラムを操作したかどうか、すなわち、プリセットしたアプリケーション・プログラムが覚醒状態にあるどうかを通じて、ユーザーが睡眠状態にあるかどうかを判断し、判断の正確性を保つことができ、これによりユーザーの使用体験が高められる。
【００８３】
図１３に示したように、１つの実施例において、前記装置は
ユーザーのカレントステータスの情報がプリセットした睡眠条件を満たしていると検出された場合、睡眠状態のフィルタリング機能が起動されているかどうかを判断するように構成される判断モジュール１３１と、
睡眠状態のフィルタリング機能が起動されていると判断された場合、第１送信モジュールをトリガーして端末に状態照会の要請を送信させるように構成されるトリガーモジュール１３２と、を備える。
【００８４】
当該実施例において、ユーザーは個人のニーズに応じて睡眠状態のフィルタリング機能が起動されているかどうかを選択でき、もし当該機能を起動させるならば、スマート・ウェアラブルデバイスによってユーザーのカレントステータスの情報がプリセットした睡眠条件を満たしていると検出された場合、端末に状態照会の要請を送信し、端末がフィードバックした状態情報に基づいてユーザーの睡眠状態の判断を行い、これにより判断結果の正確性が保たれる。もし当該機能が起動していなければ、直接ユーザーが睡眠状態に入っていると確定する。このようにして、異なるユーザーの異なるニーズを満たすことができ、ユーザーの使用体験をさらに高めることができる。
【００８５】
図１４に示したように、１つの実施例において、前記装置は、
ユーザーが睡眠状態に入っていると確定した場合、ユーザーがすでに睡眠状態に入っている旨の通知を端末に送信し、端末に通知に基づいてプリセットしたアプリケーション・プログラムを閉じさせるように構成される第２送信モジュール１４１、をさらに含む。
【００８６】
当該実施例において、ユーザーが睡眠状態に入っていると確定した後、スマート・ウェアラブルデバイスはユーザーがすでに睡眠状態に入っている旨の通知を送信し、これにより端末に当該通知に基づいてプリセットしたアプリケーション・プログラムを閉じさせ、これにより端末の電気消費量が節約される。
【００８７】
図１５は１つの例示性実施例に係る睡眠状態測定装置のブロック図で、当該装置はソフトウェア、ハードウェアあるいは両者の組合せを通じて端末装置をなす一部あるいは全部を実現することができる。図１５に示したように、当該睡眠状態測定装置１５０は、
スマート・ウェアラブルデバイスによってユーザーのカレントステータスの情報がプリセットした睡眠条件を満たしていると検出されたときに送信した状態照会の要請を受信するように構成される受信モジュール１５１と、
状態照会の要請に基づいて、端末におけるセンサーのデータ及び/またはプリセットしたアプリケーション・プログラムの操作イベントを照会するように構成される照会モジュール１５２と、
照会モジュール１５２の照会結果に基づいて状態情報をスマート・ウェアラブルデバイスにフィードバックし、スマート・ウェアラブルデバイスに状態情報に基づいて、ユーザーが睡眠状態に入っているかどうかを確定させるように構成されるフィードバックモジュール１５３と、を含む。
【００８８】
ここで、端末がスマート・ウェアラブルデバイスとバインディングされている。
【００８９】
当該実施例において、スマート・ウェアラブルデバイスによってユーザーのカレントステータスの情報がプリセットした睡眠条件を満たしていると検出された場合、すなわち、スマート・ウェアラブルデバイスによってユーザーがすでに睡眠状態に入っている可能性があると検出された場合、端末に状態照会の要請を送信し、端末に端末におけるセンサーのデータ及び/またはプリセットしたアプリケーション・プログラムの操作イベントを照会させ、これにより端末がフィードバックした状態情報に基づいてユーザーが睡眠状態に入っているかどうかを確定し、このようにして、スマート・ウェアラブルデバイスは端末の協力を通じてユーザーが睡眠状態に入っているかどうかを確定し、スマート・ウェアラブルデバイスによってユーザーの睡眠時間ひいては睡眠の質さえ誤って計算されてしまう問題の発生を防止し、ユーザーの睡眠時間計算の正確性が保たれ、ユーザーの使用体験を高めることができる。
【００９０】
ここで、端末は獲得したセンサーのデータ及び/またはプリセットしたアプリケーション・プログラムの操作イベントの情報をスマート・ウェアラブルデバイスに直接フィードバックすることができる。当然なことながら、端末はセンサーのデータ及び/またはプリセットしたアプリケーション・プログラムの操作イベントに基づいて端末の状態情報、例えば覚醒状態と非覚醒状態を判断し、これにより状態情報を直接スマート・ウェアラブルデバイスにフィードバックすることも可能である。
【００９１】
ここで、プリセットした期間内に端末が静止状態にあるかどうかの判断を含み、端末におけるセンサーのデータに基づいてユーザーが睡眠状態に入っているかどうかを判断し、端末が静止状態にある場合、ユーザーがすでに寝ついているとみなし、これによりユーザーが睡眠状態に入っていると確定することができ、さもなければ、もし端末がプリセットした期間内に非静止状態にあれば、ユーザーがまだ携帯電話を使っていると解釈でき、ユーザーが睡眠状態に入っていないと確定することができる。
【００９２】
図１６に示したように、１つの実施例において、プリセットしたアプリケーション・プログラムのカレントステータスは覚醒状態と非覚醒状態を含み、照会モジュール１５２は、
プリセットしたアプリケーション・プログラムがプリセットした期間内にタッチ操作を受信しているかどうかを判断するように構成される判断サブモジュール１６１と、
判断サブモジュール１６１によってプリセットしたアプリケーション・プログラムがプリセットした期間内にデータッチ操作を受信していないと判断された場合、プリセットしたアプリケーション・プログラムのカレントステータスが非覚醒状態であると確定するように構成される第１確定サブモジュール１６２と、
判断サブモジュール１６１によってプリセットしたアプリケーション・プログラムがプリセットした期間内にタッチ操作を受信していると判断された場合、プリセットしたアプリケーション・プログラムのカレントステータスが覚醒状態にあると確定するように構成される第２確定サブモジュール１６３と、をさらに備える。
【００９３】
当該実施例において、もし端末のプリセットしたアプリケーション・プログラムがプリセットした期間内にタッチ操作を受信していなければ、ユーザーが端末を使っていないだろうと解釈でき、この場合プリセットしたアプリケーション・プログラムが非覚醒状態にあると、さもなければプリセットしたアプリケーション・プログラムが覚醒状態にあると確定することができる。
【００９４】
図１７に示したように、１つの実施例において、プリセットされたアプリケーション・プログラムのカレントステータスは覚醒状態と非覚醒状態を含み、照会モジュール１５２は、
プリセットされたアプリケーション・プログラムを閉じる知らせ情報を出力するように構成される知らせサブモジュール１７１と、
プリセットした期間内に知らせ情報に対応するフィードバック指令を受信した場合、プリセットされたアプリケーション・プログラムのカレントステータスが覚醒状態であると確定するように構成される第３確定サブモジュール１７２と、
プリセットした期間内に知らせ情報に対応するフィードバック指令を受信しなかった場合、プリセットされたアプリケーション・プログラムのカレントステータスが非覚醒状態であると確定するように構成される第４確定サブモジュール１７３と、をさらに備える。
【００９５】
当該実施例において、プリセットしたアプリケーション・プログラムを閉じる知らせ情報を出力し、もしユーザーが睡眠状態に入っていなければ、閉じるかどうかを選択し、そのためプリセットしたアプリケーション期間内に知らせ情報に対応するフィードバック指令さえ受信すれば、ユーザーが寝ついていないと解釈でき、すなわち、プリセットしたアプリケーション・プログラムが覚醒状態にあり、さもなければ、プリセットしたアプリケーション・プログラムが非覚醒状態にあると確定することができる。
【００９６】
図１８に示したように、１つの実施例において、前記装置は、
状態照会の要請を受信した場合、睡眠状態のフィルタリング機能が起動されているかどうかを判断するように構成される判断モジュール１８１と、
睡眠状態のフィルタリング機能が起動されていると判断した場合、照会モジュールをトリガーして端末におけるセンサーのデータ及び/またはプリセットしたアプリケーション・プログラムの操作イベントを照会させるように構成するトリガーモジュール１８２と、をさらに備える。
【００９７】
当該実施例において、ユーザーは個人のニーズに応じて睡眠状態のフィルタリング機能が起動されているかどうかを選択することができ、もし当該機能を起動させるならば、スマート・ウェアラブルデバイスによってユーザーのカレントステータスの情報がプリセットした睡眠条件を満たしていると検出された場合、端末に状態照会の要請を送信し、端末に当該要請に基づいて端末におけるセンサーのデータ及び/またはプリセットしたアプリケーション・プログラムの操作イベントを照会させ、スマート・ウェアラブルデバイスは端末がフィードバックした状態情報に基づいてユーザーの睡眠状態の判断を行い、これにより判断結果の正確性が保たれる。もし当該機能が起動していなければ、直接ユーザーが睡眠状態に入っていると確定する。このようにして、異なるユーザーの異なるニーズを満たし、ユーザーの使用体験をさらに高めることができる。
【００９８】
図１９に示したように、１つの実施例において、前記装置は、
スマート・ウェアラブルデバイスが送信したユーザーがすでに睡眠状態に入っている旨の通知を受信し、通知に基づいてプリセットしたアプリケーション・プログラムを閉じるように構成される処理モジュール１９１を、さらに備える。
【００９９】
当該実施例において、ユーザーが睡眠状態に入っていると確定した後、スマート・ウェアラブルデバイスはユーザーがすでに睡眠状態に入っている旨の通知を送信し、これにより端末は通知に基づいてプリセットしたアプリケーション・プログラムを閉じ、端末の電気消費量を節約することができる。
【０１００】
図２０に示したように、１つの実施例において、前記装置は、
入力されたアプリケーション・プログラムの設定指令を受信するように構成される指令受信モジュール２０１と、
アプリケーション・プログラムの設定指令に基づいて、プリセットしたアプリケーション・プログラムを設定するように構成される設定モジュール２０２と、をさらに備える。
【０１０１】
当該実施例において、ユーザーは個人のニーズに応じてプリセットしたアプリケーション・プログラム、例えば、ユーザーが眠る前によく使用しているアプリケーションをプリセットしたアプリケーション・プログラムとして設定することができ、これによりユーザーの睡眠時間計算の正確性が保たれ、ユーザーの使用体験を高めることができる。
【０１０２】
本発明の実施例第５態様によれば、睡眠測定システムを提供する。当該システムは、
端末と、スマート・ウェアラブルデバイスと、を備え、
前記スマート・ウェアラブルデバイスは、ユーザーのカレントステータスの情報がプリセットした睡眠条件を満たしていると検出された場合、前記端末が状態照会の要請に基づいて端末におけるセンサーのデータ及び/またはプリセットしたアプリケーション・プログラムの操作イベントを照会するように、端末に状態照会の要請を送信し、ここで、前記端末が前記スマート・ウェアラブルデバイスとバインディングし、前記端末が照会結果に基づいてフィードバックした状態情報を受信し、前記状態情報に基づいて、前記ユーザーが睡眠状態に入っているかどうかを確定する。
【０１０３】
前記端末は、スマート・ウェアラブルデバイスによってユーザーのカレントステータスの情報がプリセットした睡眠条件を満たしていると検出されたときに、当該スマート・ウェアラブルデバイスから送信された状態照会の要請を受信し、前記状態照会の要請に基づいて、端末におけるセンサーのデータ及び/またはプリセットしたアプリケーション・プログラムの操作イベントを照会し、照会結果に基づいて状態情報をスマート・ウェアラブルデバイスにフィードバックし、前記スマート・ウェアラブルデバイスは状態情報に基づいて、ユーザーが睡眠状態に入っているかどうかを確定する。
【０１０４】
本発明の実施例第６態様によれば、睡眠状態の測定装置を提供し、前記装置は、
プロセッサーと、
プロセッサの実行可能な指令を記憶するためのメモリと、を備え、
前記プロセッサーは
ユーザーのカレントステータスの情報がプリセットした睡眠条件を満たしていると検出された場合、前記端末が状態照会の要請に基づいて端末におけるセンサーのデータ及び/またはプリセットしたアプリケーション・プログラムの操作イベントを照会するように、端末に状態照会の要請を送信し、
前記端末が照会結果に基づいてフィードバックした状態情報を受信し、
記状態情報に基づいて、前記ユーザーが睡眠状態に入っているかどうかを確定するように構成されている。
【０１０５】
ここで、前記端末が前記スマート・ウェアラブルデバイスとバインディングされている。
【０１０６】
さらに、前記プロセッサーは、前記プリセットしたアプリケーション・プログラムのカレントステータスは覚醒状態と非覚醒状態を含み、前記状態情報に基づいて、前記ユーザーが睡眠状態に入っているかどうかを確定し、
前記プリセットしたアプリケーション・プログラムのカレントステータスが覚醒状態である場合、前記ユーザーが睡眠状態に入っていないと確定し、
前記プリセットしたアプリケーション・プログラムのカレントステータスが非覚醒状態である場合、前記ユーザーがすでに睡眠状態に入っていると確定するように構成されてもよい。
【０１０７】
好ましくは、前記プロセッサーはさらに、
ユーザーのカレントステータスの情報がプリセットした睡眠条件を満たしていると検出された場合、睡眠状態のフィルタリング機能が起動されているかどうかを判断し、
前記睡眠状態のフィルタリング機能が起動されていると判断した場合、端末に前記状態照会の要請を送信するステップを実行するステップとテップを実行することを含むように構成されてもよい。
【０１０８】
好ましくは、前記プロセッサーはさらに、
前記ユーザーが睡眠状態に入っていると確定した場合、前記端末にユーザーがすでに睡眠状態に入っている旨の通知を送信し、前記端末が前記通知に基づいて前記プリセットしたアプリケーション・プログラムを閉じるようにするのに供することを含むように構成されてもよい。
【０１０９】
本発明の実施例第７態様によれば、睡眠状態の測定装置を提供し、前記装置は、
プロセッサーと、
プロセッサの実行可能な指令を記憶するためのメモリと、を備え、
前記プロセッサーは、
スマート・ウェアラブルデバイスによってユーザーのカレントステータスの情報がプリセットした睡眠条件を満たしていると検出されたときに、当該スマート・ウェアラブルデバイスから送信された状態照会の要請を受信し、
前記状態照会の要請に基づいて、前記端末におけるセンサーのデータ及び/またはプリセットしたアプリケーション・プログラムの操作イベントを照会し、
照会結果に基づいて状態情報をスマート・ウェアラブルデバイスにフィードバックし、前記スマート・ウェアラブルデバイスが状態情報に基づいて、ユーザーが睡眠状態に入っているかどうかを確定するように構成されている。
【０１１０】
前記プロセッサーはさらに、
前記プリセットしたアプリケーション・プログラムのカレントステータスは覚醒状態と非覚醒状態を含み、前記端末におけるセンサーのデータ及び/またはプリセットしたアプリケーション・プログラムの操作イベントを照会させ、
前記プリセットしたアプリケーション・プログラムがプリセットした期間内にタッチ操作を受信しているかどうかを判断し、
前記プリセットしたアプリケーション・プログラムがプリセットした期間内にタッチ操作を受信していないと判断した場合、前記プリセットしたアプリケーション・プログラムのカレントステータスが非覚醒状態であると確定し、
前記プリセットしたアプリケーション・プログラムがプリセットした期間内にタッチ操作を受信していると判断した場合、前記プリセットしたアプリケーション・プログラムのカレントステータスが覚醒状態であると確定するように構成されてもよく。
【０１１１】
前記プロセッサーはさらに、
プリセットされたアプリケーション・プログラムのカレントステータスは覚醒状態と非覚醒状態を含み、前記端末におけるセンサーのデータ及び/またはプリセットされたアプリケーション・プログラムの操作イベントを照会させ、
前記プリセットされたアプリケーション・プログラムを閉じる知らせ情報を出力し、
プリセットした期間内に前記知らせ情報に対応するフィードバック指令を受信した場合、前記プリセットされたアプリケーション・プログラムのカレントステータスが覚醒状態であると確定し、
プリセットした期間内に前記知らせ情報に対応するフィードバック指令を受信しなかった場合、前記プリセットされたアプリケーション・プログラムのカレントステータスが非覚醒状態であると確定するように構成されてもよい。
【０１１２】
１つの実施例において、前記端末におけるセンサーのデータ及び/またはプリセットしたアプリケーション・プログラムの操作イベントを照会する前に、
前記状態照会の要請を受信した場合、睡眠状態のフィルタリング機能が起動されているかどうかを判断するステップと、
前記睡眠状態のフィルタリング機能が起動されていると判断した場合、前記端末におけるセンサーのデータ及び/またはプリセットしたアプリケーション・プログラムの操作イベントを照会するステップと、をさらに備える。
【０１１３】
好ましくは、前記プロセッサーはさらに、
前記スマート・ウェアラブルデバイスが送信したユーザーがすでに睡眠状態に入っている旨の通知を受信し、前記通知に基づいて前記プリセットしたアプリケーション・プログラムを閉じることを含むように構成されてもよい。
【０１１４】
好ましくは、前記プロセッサーはさらに
入力されたアプリケーション・プログラムの設定指令を受信し、
前記アプリケーション・プログラムの設定指令に基づいて、前記プリセットしたアプリケーション・プログラムを設定するように構成されてもよい。
【０１１５】
図２１は例示性実施例によって示しされた睡眠状態測定装置のブロック図で、当該装置が端末装置に適している。例えば、装置２１００は携帯電話、コンピューター、デジタル放送の端末、情報送受信装置、ゲームコントロールパネル、タブレット装置、医療装置、フィットネス装置、携帯情報端末などであってもよい。
【０１１６】
装置２１００は次の処理モジュール２１０２、メモリ２１０４、電源モジュール２１０６、マルチメディアモジュール２１０８、オーディオモジュール２１１０、入力/出力（I/Ｏ）インターフェース２１１２、センサーモジュール２１１４、および通信モジュール２１１６の１つあるいは複数モジュールを含んでもよい。
【０１１７】
処理モジュール２１０２は通常装置２１００の全体操作、例えば表示、電話呼び出し、データ通信、カメラ操作および記録操作に関連する操作を制御する。処理モジュール２１０２は指令を実行するために１つあるいは複数のプロセッサー２１２０を含んでよく、前記方法の全部あるいは一部のステップを完成させる。そのほか、処理モジュール２１０２は、処理モジュール２１０２をその他のモジュールと対話しやすくするために、１つあるいは複数のモジュールを含んでもよい。例えば、処理モジュール２１０２はマルチメディアモジュール２１０８と処理モジュール２１０２を対話しやすくするために、マルチメディアモジュールを含んでもよい。
【０１１８】
メモリ２１０４は装置２１００の操作を支える各タイプのデータを記憶するように構成されている。これらデータの例示は装置２１００上で操作するあらゆるアプリケーションあるいは方法指令、担当者データ、電話帳データ、消息、画像、ビデオなどに用いることを含む。メモリ２１０４はあらゆるタイプの揮発性あるいは非揮発性メモリあるいはそれらの組合せ、例えばスタティックＲＡＭ（ＳＲＡＭ）、EEＰ固定メモリ（EEＰＲＯＭ）、EＰ固定メモリ(EＰＲＯＭ)、ピーロム（ＰＲＯＭ）、固定メモリ（ＲＯＭ）、磁気メモリ、フラッシュメモリ、ディスクあるいは光ディスクで実現させることができる。
【０１１９】
電源モジュール２１０６は装置２１００の各モジュールに電力を提供する。電源モジュール２１０６は電源管理システム、１つあるいは複数の電源、およびその他の装置２１００の形成、管理と電力分配に関連するその他のモジュールを含んでもよい。
【０１２０】
マルチメディアモジュール２１０８は前記装置２１００とユーザーの間に出力インターフェースのスクリーンを提供することを含む。いくつかの実施例において、スクリーンは液晶ディスプレイ（ＬCＤ）とタッチパッド（ＴＰ）を含んでもよい。スクリーンがタッチパッドを含む場合、ユーザーからのインプットシグナルを受信するために、スクリーンはタッチパネルで実現されてもよい。タッチパッドはタッチ、滑りおよびタッチパッド上での合図を感知させるために１つあるいは複数のタッチセンサを含む。前記タッチセンサはタッチあるいは滑り操作の境界を感知できるだけでなく、前記タッチあるいは滑り操作に関連する持続時間と圧力も検出できる。いくつかの実施例において、マルチメディアモジュール２１０８は１つの前置カメラ及び/または後置カメラを含む。装置２１００が操作モード、例えば撮影モードあるいはビデオモードに置かれた時、前置カメラ及び/または後置カメラが外部のマルチメディアのデータを受信することができる。それぞれの前置カメラと後置カメラは固定的な光学レンズ系あるいは焦点距離と光学ズーム能力を有するものであれればよい。
【０１２１】
オーディオモジュール２１１０はオーディオシグナルを入力及び/または出力するように構成されている。例えば、オーディオモジュール２１１０は１つのマイク（ＭIC）を含み、装置２１００が操作モード、例えば呼び出しモード、記録モードおよび音声識別モードに置かれた時、マイクは外部のオーディオシグナルを受信するように構成される。受信したオーディオシグナルはさらにメモリ２１０４に記憶されるか、あるいは通信モジュール２１１６を介して発送されてもよい。いくつかの実施例において、オーディオモジュール２１１０はさらに１つのスピーカーを含み、オーディオシグナルの出力に用いる。
【０１２２】
I/Ｏインターフェース２１１２は処理モジュール２１０２と周りのインターフェースモジュールの間にインターフェースを提供し、前記周りのインターフェースモジュールはキーボード、クリックホイール、押しボタンなどでよい。これらのボタンはホームボタン、音量ボタン、スタートボタンおよびロックボタンを含んでもよいが、それに制限されるものではない
センサーモジュール２１１４は装置２１００に１つあるいは複数のセンサーを含み、各方面の状態評価を提供する。例えば、センサーモジュール２１１４は装置２１００のオン/オフ状態、モジュールの相対位置を検出することができ、例えば前記モジュールは装置２１００のディスプレイとキーパッドであり、センサーモジュール２１１４はさらに装置２１００あるいは装置２１００の１つのモジュールの位置変更、ユーザーと装置２１００と接触が存在するかどうか、装置２１００方位あるいは加速/減速と装置２１００の温度変化を測定することができる。センサーモジュール２１１４はあらゆる物理的接触もない時に近くにある物体の存在を測定するように構成される接近センサーを含んでもよい。センサーモジュール２１１４はさらにイメージングアプリケーションに用いる光センサ、例えばCＭＯＳあるいはCCＤイメージセンサを含んでもよい。いくつかの実施例において、当該センサーモジュール２１１４はさらに加速度センサー、ジャイロスコープセンサー、磁気センサー、圧力センサーあるいは温度センサーを含んでもよい。
【０１２３】
通信モジュール２１１６は装置２１００とその他の装置間の有線あるいは無線方式での通信を行いやすくするために構成されている。装置２１００は通信標準に基づく無線ネット、例えばＷｉＦｉ、２Ｇあるいは３Ｇ、あるいはそれらの組合せに接続してもよい。１つの例示性実施例において、通信モジュール２１１６は放送型通信チャンネルを介して外部からの放送管理システムのアナウンス信号あるいは放送関連の情報を受信している。１つの例示性実施例において、前記通信モジュール２１１６はさらに短距離通信を促進するためのニアフィールド通信（NＦC）モジュールを含む。例えば、NＦCモジュールにおいて、アールエフアイディー（ＲＦIＤ）技術、アイアールディーエイ（IｒＤＡ）技術、超広帯域無線（ＵＷＢ）技術、ブルートゥース（登録商標）（ＢＴ）技術およびその他の技術によって「実現されることができる。
【０１２４】
例示性実施例において、装置２１００は前記方法を実行するために、１つあるいは複数の専用集積回路（ＡＳIC）、デジタル・シグナル・プロセッサー（ＤＳＰ）、デジタル信号処理装置（ＤＳＰＤ）、プログラマブルロジックデバイス（ＰＬＤ）、現場がプログラミングすることができるゲートアレイ（ＦＰＧＡ）、コントローラ、マイクロコントローラー、マイクロ・プロセッサあるいはその他の電子モジュールによって実現されることができる。
【０１２５】
例示性実施例において、指令を含む非一時性コンピューターは記憶媒体を読み取ることができ、例えば指令を含むメモリ２１０４、前記指令は装置２１００のプロセッサー２１２０によって実行され、前記方法を完成させる方法を提供している。例えば、前記非一時性コンピューターが読み取れる前記記憶媒体はＲＯＭ、ランダムアクセスメモリ（ＲＡＭ）、CＤ―ＲＯＭ、テープ、フロッピー（登録商標）ディスクおよび光データメモリなどでよい。
【０１２６】
図２２は１つの例示性実施例に係る睡眠状態測定装置に用いるブロック図である。例えば、装置２２００はサーバーとして提供されてもよい。装置２２００は処理モジュール２２２２、さらにもう１つあるいは複数のプロセッサー、ならびにメモリ２２３２をはじめとするメモリ資源を含み、処理モジュール２２２２が実行可能な指令、例えばアプリケーションの記憶に用いる。メモリ２２３２に記憶されているアプリケーションは１つあるいは１つ以上のそれぞれ１組の指令に対応するモジュールを含んでもよい。そのほか、処理モジュール２２２２は指令の実行に構成され、前記方法を実行する。
【０１２７】
装置２２００は装置２２００のパワーマネジメントを実行するように構成される電源モジュール２２２６、装置２２００をネットワークに接続する有線あるいは無線のネットワークインターフェース２２５０、ならびに入出力（I/Ｏ）インターフェース２２５８を含みてもよい。装置２２００はメモリ２２３２に記憶されているオペレーティングシステム、例えばＷｉｎｄｏｗＳ（登録商標） Ｓｅｒｖｅｒ、Ｍａｃ ＯＳ Ｘ（登録商標），Ｕｎｉｘ（登録商標），Ｌｉｎｕｘ（登録商標），ＦｒｅｅＢＳＤ（登録商標）あるいは似たものを操作することができる。
【０１２８】
非一時性コンピュータは記憶媒体を読み取ることができ、前記記憶媒体の指令が装置２１００のプロセッサーによって実行される場合、装置２１００は前記睡眠状態の測定方法を実行できるようになり、前記方法は、
スマート・ウェアラブルデバイスによってユーザーのカレントステータスの情報がプリセットした睡眠条件を満たしていると検出されたときに、当該スマート・ウェアラブルデバイスから送信された状態照会の要請を受信するステップと、
前記状態照会の要請に基づいて、前記端末におけるセンサーのデータ及び/またはプリセットしたアプリケーション・プログラムの操作イベントを照会するステップと、
照会結果に基づいて状態情報をスマート・ウェアラブルデバイスにフィードバックし、前記スマート・ウェアラブルデバイスに状態情報に基づいて、ユーザーが睡眠状態に入っているかどうかを確定させるステップと、を備える。
【０１２９】
１つの実施例において、前記プリセットしたアプリケーション・プログラムのカレントステータスは覚醒状態と非覚醒状態を含み、前記端末におけるセンサーのデータ及び/またはプリセットしたアプリケーション・プログラムの操作イベントを照会するステップは、
前記プリセットしたアプリケーション・プログラムがプリセットした期間内にタッチ操作を受信するかどうかを判断するステップと、
前記プリセットしたアプリケーション・プログラムがプリセットした期間内にタッチ操作を受信していないと判断した場合、前記プリセットしたアプリケーション・プログラムのカレントステータスが非覚醒状態であると確定するステップと、
前記プリセットしたアプリケーション・プログラムがプリセットした期間内にタッチ操作を受信していると判断した場合、前記プリセットしたアプリケーション・プログラムのカレントステータスが覚醒状態であると確定するステップと、を備える。
【０１３０】
１つの実施例において、前記プリセットされたアプリケーション・プログラムのカレントステータスは覚醒状態と非覚醒状態を含み、前記端末におけるセンサーのデータ及び/またはプリセットされたアプリケーション・プログラムの操作イベントを照会するステップは、
前記プリセットされたアプリケーション・プログラムを閉じる知らせ情報を出力するステップと、
プリセットした期間内に前記知らせ情報に対応するフィードバック指令を受信した場合、前記プリセットされたアプリケーション・プログラムのカレントステータスが覚醒状態であると確定するステップと、
プリセットした期間内に前記知らせ情報に対応するフィードバック指令を受信しなかった場合、前記プリセットされたアプリケーション・プログラムのカレントステータスが非覚醒状態であると確定するステップと、を備える。
【０１３１】
１つの実施例において、前記端末におけるセンサーのデータ及び/またはプリセットしたアプリケーション・プログラムの操作イベントを照会する前に、
前記状態照会の要請を受信した場合、睡眠状態のフィルタリング機能が起動されているかどうかを判断するステップと、
前記睡眠状態のフィルタリング機能が起動されていると判断した場合、前記端末におけるセンサーのデータ及び/またはプリセットしたアプリケーション・プログラムの操作イベントを照会するステップと、さらに含む。
【０１３２】
１つの実施例において、前記方法は
前記スマート・ウェアラブルデバイスが送信したユーザーがすでに睡眠状態に入っている旨の通知を受信し、前記通知に基づいて前記プリセットしたアプリケーション・プログラムを閉じるステップをさらに備える。
【０１３３】
１つの実施例において、前記方法は
入力されたアプリケーション・プログラムの設定指令を受信するステップと、
前記アプリケーション・プログラムの設定指令に基づいて、前記プリセットしたアプリケーション・プログラムを設定するステップと、をさらに備える。
【０１３４】
非一時性コンピュータは記憶媒体を読み取ることができ、前記記憶媒体の指令が装置２２００のプロセッサーによって実行される場合、装置２２００が前記睡眠状態の測定方法を実行できるようになり、前記方法は、
ユーザーのカレントステータスの情報がプリセットした睡眠条件を満たしていると検出された場合、前記端末が状態照会の要請に基づいて端末におけるセンサーのデータ及び/またはプリセットしたアプリケーション・プログラムの操作イベントを照会するように、端末に状態照会の要請を送信するステップと、
前記端末が照会結果に基づいてフィードバックした状態情報を受信するステップと、
前記状態情報に基づいて、前記ユーザーが睡眠状態に入っているかどうかを確定するステップと、を備える。
【０１３５】
ここで、前記端末が前記スマート・ウェアラブルデバイスとバインディングされている。
【０１３６】
１つの実施例において、前記プリセットしたアプリケーション・プログラムのカレントステータスは覚醒状態と非覚醒状態を含み、前記状態情報に基づいて、前記ユーザーが睡眠状態に入っているかどうかを確定するステップは
前記プリセットしたアプリケーション・プログラムのカレントステータスが覚醒状態である場合、前記ユーザーが睡眠状態に入っていないと確定するステップと、
前記プリセットしたアプリケーション・プログラムのカレントステータスが非覚醒状態である場合、前記ユーザーがすでに睡眠状態に入っていると確定するステップと、を備える。
【０１３７】
１つの実施例において、前記方法は、
ユーザーのカレントステータスの情報がプリセットした睡眠条件を満たしていると検出された場合、睡眠状態のフィルタリング機能が起動されているかどうかを判断するステップと、
前記睡眠状態のフィルタリング機能が起動されていると判断した場合、端末に前記状態照会の要請を送信させるステップ、をさらに含む。
【０１３８】
１つの実施例において、前記方法は、
前記ユーザーが睡眠状態に入っていると確定した場合、前記端末にユーザーがすでに睡眠状態に入っている旨の通知を送信し、前記端末が前記通知に基づいて前記プリセットしたアプリケーション・プログラムを閉じるようにするステップと、をさらに備える。
【０１３９】
ここに説明書と実践を公開した後、当該分野の技術者は本開示の他の実施案を容易に想到する。本願は、本開示の如何なる変形、用途または適合もカバーすることを意図する。これらの変形、用途または適合の変化は、本開示の一般的な仕組みに従い、かつ、本開示に発明されていない当分野における公知常識または慣用技術手段を含む。明細書および実施例は単なる例示とみなし、本開示の本当の範囲および思想は添付する特許要請の範囲によって与えられる。
【０１４０】
本開示が以上で記載され、且つ図面に示された正確な構造に限定されるものでなく、その要旨を逸脱しない範囲で様々な補正や変更も可能であることは理解すべきである。本開示の範囲は、添付する特許要請の範囲のみによって限定される。
【０１４１】
本願は出願番号２０１５１０８２５１５７.２、出願日２０１５年１１月２４日の中国特許出願に基づいて提出するものであり、当該中国特許出願の優先権を主張し、当該中国特許出願の全ての内容を、参照のため本願に援用した。
【図１】
0006521957.tif 000002
【図２】
0006521957.tif 000003
【図３】
0006521957.tif 000004
【図４】
0006521957.tif 000005
【図５】
0006521957.tif 000006
【図６】
0006521957.tif 000007
【図７】
0006521957.tif 000008
【図８】
0006521957.tif 000009
【図９】
0006521957.tif 000010
【図１０】
0006521957.tif 000011
【図１１】
0006521957.tif 000012
【図１２】
0006521957.tif 000013
【図１３】
0006521957.tif 000014
【図１４】
0006521957.tif 000015
【図１５】
0006521957.tif 000016
【図１６】
0006521957.tif 000017
【図１７】
0006521957.tif 000018
【図１８】
0006521957.tif 000019
【図１９】
0006521957.tif 000020
【図２０】
0006521957.tif 000021
【図２１】
0006521957.tif 000022
【図２２】
0006521957.tif 000023